(57)【要約】      （修正有）【課題】車両速度画像及びナビゲーション画像を同時に表示しているときであっても、車両速度画像を視認し易い車両用表示装置を提供する。【解決手段】車両用表示装置１は、第一の表示パネル１１と、第二の表示パネル２１と、第一の表示パネル１１または第二の表示パネル２１の一方に車両速度１１ａを表示させる制御手段と、を備える。制御手段は、第一の表示パネル１１に車両速度１１ａを表示させる第一の表示モードと、第一の表示パネル１１にナビゲーション画像を表示させると共に、第二の表示パネル２１に車両速度を表示させる第二の表示モードと、を切換える。【選択図】図１
2018140707.tif 000002
【特許請求の範囲】
【請求項１】
第一の表示パネルと、第二の表示パネルと、前記第一の表示パネルまたは前記第二の表示パネルの一方に車両速度を表示させる制御手段と、を備えた車両用表示装置であって、
前記制御手段は、前記第一の表示パネルに車両速度を表示させる第一の表示モードと、前記第一の表示パネルにナビゲーション画像を表示させると共に、前記第二の表示パネルに車両速度を表示させる第二の表示モードと、を切換えることを特徴とする車両用表示装置。
【請求項２】
第一の表示パネルと、第二の表示パネルと、前記第一の表示パネルまたは前記第二の表示パネルの一方に車両速度を表示させる制御手段と、を備えた車両用表示装置であって、
前記制御手段は、前記第一の表示パネルに車両速度を表示させると共に、前記第二の表示パネルに時刻を表示させる第一の表示モードと、前記第一の表示パネルにナビゲーション画像及び時刻を表示させると共に、前記第二の表示パネルに車両速度を表示させる第二の表示モードと、を切換えることを特徴とする車両用表示装置。
【請求項３】
前記第二の表示パネルは、速度数値を表示するための第一の表示セグメントと、速度単位を表示するための第二の表示セグメントと、を有することを特徴とする請求項１または請求項２に記載の車両用表示装置。
【発明の詳細な説明】
【技術分野】
【０００１】
本発明は、少なくとも車両速度を表示する車両用表示装置に関するものである。
【背景技術】
【０００２】
従来より、車両速度を画像にて表示する表示パネルを備えた車両用表示装置が種々提案されており、例えば特許文献１に開示されている。斯かる車両用表示装置は、表示パネルの画面に、車両速度画像と、ナビゲーション画像とを表示するものである。車両速度画像としては、車両速度に応じて回動する指針を有する指針式計器を模したアナログメータ画像や、車両速度に応じて伸縮するバーグラフにて車両速度を表示するバーグラフ画像がある。
【先行技術文献】
【特許文献】
【０００３】
【特許文献１】特開２００８−２４７３８３号公報
【発明の概要】
【発明が解決しようとする課題】
【０００４】
法規により、常時、車両速度を表示しなければならないことになっているが、表示パネルに表示されるナビゲーション画像を拡大したときは、ナビゲーション画像を表示しないときに比べて、相対的に車両速度画像が小さく表示されることがあるため、車両速度画像を視認し難くなるという問題を有していた。
本発明は、この問題に鑑みなされたものであり、車両速度画像及びナビゲーション画像を同時に表示しているときであっても、車両速度画像を視認し易い車両用表示装置を提供するものである。
【課題を解決するための手段】
【０００５】
本発明は、第一の表示パネル１１，５１と、第二の表示パネル２１，６１と、前記第一の表示パネル１１，５１または前記第二の表示パネル２１，６１の一方に車両速度１１ａ，２１ｃ，５１ａ，６１ｃを表示させる制御手段４０，８０と、を備えた車両用表示装置１，２であって、前記制御手段４０，８０は、前記第一の表示パネル１１，５１に車両速度１１ａ，５１ａを表示させる第一の表示モードと、前記第一の表示パネル１１，５１にナビゲーション画像１１ｃ，５１ｃを表示させると共に、前記第二の表示パネル２１，６１に車両速度２１ｃ，６１ｃを表示させる第二の表示モードと、を切換えることを特徴とする。
【０００６】
また、本発明は、第一の表示パネル１１，５１と、第二の表示パネル２１，６１と、前記第一の表示パネル１１，５１または前記第二の表示パネル２１，６１の一方に車両速度１１ａ，２１ｃ，５１ａ，６１ｃを表示させる制御手段４０，８０と、を備えた車両用表示装置１，２であって、前記制御手段４０，８０は、前記第一の表示パネル１１，５１に車両速度１１ａ，５１ａを表示させると共に、前記第二の表示パネル２１，６１に時刻２１ａ，６１ａを表示させる第一の表示モードと、前記第一の表示パネル１１，５１にナビゲーション画像１１ｃ，５１ｃ及び時刻１１ｄ，５１ｄを表示させると共に、前記第二の表示パネル２１，６１に車両速度２１ｃ，６１ｃを表示させる第二の表示モードと、を切換えることを特徴とする。
【０００７】
また、本発明は、前記第二の表示パネル６１は、速度数値を表示するための第一の表示セグメントＳ１と、速度単位を表示するための第二の表示セグメントＳ３と、を有することを特徴とする。
【発明の効果】
【０００８】
第一の表示パネルにナビゲーション画像を表示しているときに、第二の表示パネルに車両速度を表示させることができるため、車両速度画像及びナビゲーション画像を同時に表示しているときであっても、車両速度画像を視認し易い。
【図面の簡単な説明】
【０００９】
【図１】本発明の第一実施形態を示す第一表示モードの説明図。
【図２】同上実施形態を示す第二表示モードの説明図。
【図３】同上実施形態を示すブロック図。
【図４】本発明の第二実施形態を示す第一表示モードの説明図。
【図５】同上実施形態を示す第二表示モードの説明図。
【図６】同上実施形態を示す第二の表示パネルの説明図。
【図７】同上実施形態を示すブロック図。
【発明を実施するための形態】
【００１０】
以下、添付図面に基づいて、本発明の一実施形態を説明する。図１乃至図３は、第一実施形態を示すものである。車両用表示装置１は、第一の表示器１０と、第二の表示器２０と、表示板３０と、制御手段４０とを主に備えている。
【００１１】
第一の表示器１０は、第一の液晶表示パネル１１と、この第一の液晶表示パネル１１を照明する複数の発光素子１２とを有している。第一の液晶表示パネル１１は、ＴＦＴ（Thin Film Transistor）型液晶表示パネルからなるものであり、発光ダイオード等の発光素子１２によって透過照明される。
【００１２】
第二の表示器２０は、第二の液晶表示パネル２１と、この第二の液晶表示パネル２１を照明する複数の発光素子２２とを有している。第二の液晶表示パネル２１は、単純マトリクス型液晶表示パネルからなるものであり、発光ダイオード等の発光素子１２によって透過照明される。
【００１３】
表示板３０は、第一の表示パネル１１の画面を視認するための窓部３０ａと、第二の表示パネル２１の画面を視認するための窓部３０ｂとを有している。表示板３０には、光透過性の印刷層からなるインジケータ３１が形成されている。インジケータ３１は、間欠的に点灯する発光素子３２にて透過照明され、車両のウインカーが点滅していることを報知する。
【００１４】
図３は、車両用表示装置１の電気的構成を示すブロック図である。制御手段４０は、表示コントローラ１７０及びマイコン１８０を有している。マイコン１８０は、ＣＰＵ１８１，不揮発性メモリ１８２，揮発性メモリ１８３を有している。不揮発性メモリ１８２は、例えばフラッシュメモリからなるものであり、揮発性メモリ１８３は、例えばＳＤＲＡＭ（Synchronous Dynamic Random Access Memory）からなるものである。
【００１５】
速度センサ１０１は、車両速度を検出し、マイコン１８０に速度データを出力する。回転センサ１０２は、エンジンの回転数を検出し、マイコン１８０に回転数データを出力する。ナビゲーション装置１０３は、マイコン１８０にナビゲーションデータを出力する。操作部１０４は、第一の液晶表示パネル１１，第二の液晶表示パネル２１の表示モードを切換える押ボタンスイッチである。
【００１６】
マイコン１８０は、ＣＡＮ（Controller Area Network）１００を介して、種々のデータを取得し、不揮発性メモリ１８２に格納されている所定のプログラムに基づいて、表示コントローラ１７０を制御すると共に、第二の液晶表示パネル２１，発光素子１２，２２，３２を駆動する。表示コントローラ１７０は、マイコン１８０から出力された制御信号に基づいて、第一の液晶表示パネル１１に画像を表示させる。
【００１７】
図１は、第一表示モードを示している。第一の表示パネル１１には、車両速度１１ａ及びシフトポジション１１ｂが表示される。車両速度１１ａは、速度数値と、「ｋｍ／ｈ」という速度単位とでデジタル表示される。第二の表示パネル２１には、時刻２１ａ及び積算走行距離２１ｂが表示される。
【００１８】
図２は、第二表示モードを示している。第一の表示パネル１１には、ナビゲーション画像１１ｃ及び時刻１１ｄが表示される。第二の表示パネル２１には、車両速度２１ｃ，積算走行距離２１ｂ及びシフトポジション２１ｄが表示される。車両速度２１ｃは、速度数値と、「ｋｍ／ｈ」という速度単位とでデジタル表示される。
【００１９】
図４乃至図７は、第二実施形態を示すものである。車両用表示装置２は、第一の表示器５０と、第二の表示器６０と、表示板７０と、制御手段８０とを主に備えている。
【００２０】
第一の表示器５０は、第一の液晶表示パネル５１と、この第一の液晶表示パネル５１を照明する複数の発光素子５２とを有している。第一の液晶表示パネル５１は、ＴＦＴ（Thin Film Transistor）型液晶表示パネルからなるものであり、発光ダイオード等の発光素子５２によって透過照明される。
【００２１】
第二の表示器６０は、第二の液晶表示パネル６１と、この第二の液晶表示パネル６１を照明する複数の発光素子６２とを有している。第二の液晶表示パネル６１は、セグメント型液晶表示パネルからなるものであり、発光ダイオード等の発光素子６２によって透過照明される。図６に示すように、第二の液晶表示パネル６１は、数値を表示するための日字形セグメントＳ１と、コロンを表示するためのセグメントＳ２と、「ｋｍ／ｈ」という速度単位を表示するためのセグメントＳ３と、を有している。
【００２２】
表示板７０は、第一の表示パネル５１の画面を視認するための窓部７０ａと、第二の表示パネル６１の画面を視認するための窓部７０ｂとを有している。表示板７０には、光透過性の印刷層からなるインジケータ７１が形成されている。インジケータ７１は、間欠的に点灯する発光素子７２にて透過照明され、車両のウインカーが点滅していることを報知する。
【００２３】
図７は、車両用表示装置２の電気的構成を示すブロック図である。制御手段８０は、表示コントローラ２７０及びマイコン２８０を有している。マイコン２８０は、ＣＰＵ２８１，不揮発性メモリ２８２，揮発性メモリ２８３を有している。不揮発性メモリ２８２は、例えばフラッシュメモリからなるものであり、揮発性メモリ２８３は、例えばＳＤＲＡＭ（Synchronous Dynamic Random Access Memory）からなるものである。
【００２４】
速度センサ２０１は、車両速度を検出し、マイコン２８０に速度データを出力する。回転センサ２０２は、エンジンの回転数を検出し、マイコン２８０に回転数データを出力する。ナビゲーション装置２０３は、マイコン２８０にナビゲーションデータを出力する。操作部２０４は、第一の液晶表示パネル５１，第二の液晶表示パネル６１の表示モードを切換える押ボタンスイッチである。
【００２５】
マイコン２８０は、ＣＡＮ（Controller Area Network）を介して、種々のデータを取得し、不揮発性メモリ２８２に格納されている所定のプログラムに基づいて、表示コントローラ２７０を制御すると共に、第二の液晶表示パネル５１，発光素子５２，６２，７２を駆動する。表示コントローラ２７０は、マイコン２８０から出力された制御信号に基づいて、第一の液晶表示パネル５１に画像を表示させる。
【００２６】
図４は、第一表示モードを示している。第一の表示パネル５１には、車両速度５１ａ及びシフトポジション５１ｂが表示される。車両速度５１ａは、速度数値と、「ｋｍ／ｈ」という速度単位とで表示される。第二の表示パネル６１には、時刻６１ａが表示される。
【００２７】
図２は、第二表示モードを示している。第一の表示パネル５１には、ナビゲーション画像５１ｃ及び時刻５１ｄが表示される。第二の表示パネル６１には、車両速度６１ｃが表示される。車両速度６１ｃは、速度数値と、「ｋｍ／ｈ」という速度単位とで表示される。
【００２８】
第一，第二実施形態によれば、第一の表示パネル１１，５１にナビゲーション画像１１ｃ，５１ｃを表示しているときに、第二の表示パネル２１，６１に車両速度２１ｃ，６１ｃを表示させることができるため、車両速度２１ｃ，６１ｃ及びナビゲーション画像１１ｃ，５１ｃを同時に表示しているときであっても、車両速度を視認し易い。
【００２９】
なお、本発明は、第一，第二実施形態に限定されるものではなく、種々の変形が可能である。例えば、第一の表示パネル及び第二の表示パネルは、第一の液晶表示パネル１１，５１及び第二の液晶表示パネル２１，６１であったが、有機ＥＬ（Electro Luminescence）表示パネルであっても良い。
【符号の説明】
【００３０】
１    車両用表示装置
２    車両用表示装置
１１    第一の液晶表示パネル（第一の表示パネル）
１１ａ  車両速度
１１ｃ  ナビゲーション画像
１１ｄ  時刻
２１    第二の液晶表示パネル（第二の表示パネル）
２１ａ  時刻
２１ｃ  車両速度
４０    制御手段
５１    第一の液晶表示パネル（第一の表示パネル）
５１ａ  車両速度
５１ｃ  ナビゲーション画像
５１ｄ  時刻
６１    第二の液晶表示パネル（第二の表示パネル）
６１ａ  時刻
６１ｃ  車両速度
８０    制御手段
Ｓ１    セグメント（第一の表示セグメント）
Ｓ３    セグメント（第二の表示セグメント）
【図１】
2018140707.tif 000003
【図２】
2018140707.tif 000004
【図３】
2018140707.tif 000005
【図４】
2018140707.tif 000006
【図５】
2018140707.tif 000007
【図６】
2018140707.tif 000008
【図７】
2018140707.tif 000009